(57)【特許請求の範囲】
【請求項１】
（ａ）回転体と、
（ｂ）装置本体の筐体と、
（ｃ）前記回転体を保持するとともに、前記筐体に取り付けられる支持部材とを有するとともに、
（ｄ）該支持部材は、支持部材を筐体に取り付けるための取付部を備え、
（ｅ）前記支持部材を筐体に取り付けた状態において、前記支持部材によって保持された状態の回転体が、押付部によって、支持部材における、前記取付部と対向する壁部、及び前記筐体と対向する壁部に押し付けられ、二つの方向において位置決めされることを特徴とする回転体支持機構。
【請求項２】
前記支持部材を筐体に取り付けない状態において、前記押付部と回転体とは離間させられる請求項１に記載の回転体支持機構。
【請求項３】
前記支持部材は、前記回転体が前記押付部によって押し付けられたときに、反力によって回転体を押付部に押し付ける突当て用の突起部を備える請求項１に記載の回転体支持機構。
【請求項４】
前記押付部及び突起部によって回転体が挟持される請求項３に記載の回転体支持機構。
【請求項５】
前記支持部材を筐体に取り付けない状態において、前記押付部の下端と前記突起部の上端との間の距離は、回転体の上端と下端との間の距離より長い請求項３に記載の回転体支持機構。
【請求項６】
前記支持部材を筐体に取り付けた状態において、前記押付部の下端と前記突起部の上端との間の距離は、回転体の上端と下端との間の距離より短い請求項３に記載の回転体支持機構。
【請求項７】
前記押付部は、筐体から支持部材に向けて突出させて形成され、前記回転体を保持した状態の支持部材を筐体に取り付けるのに伴い、支持部材の頂壁と回転体との隙間に圧入される請求項１、３又は４に記載の回転体支持機構。
【請求項８】
前記押付部は前記取付部に形成される請求項１〜７のいずれか１項に記載の回転体支持機構。
【請求項９】
（ａ）回転体と、
（ｂ）装置本体の筐体と、
（ｃ）前記回転体を支持するとともに、前記筐体に取り付けられる支持部材とを有するとともに、
（ｄ）該支持部材は、支持部材を筐体に取り付けるための係合部、及び該係合部に対して背面側において回転体と当接自在に配設された押付部を備えた撓み部材、並びに突起部を備え、
（ｅ）前記撓み部材が突起部側に撓むと、前記押付部が回転体に押し付けられることを特徴とする回転体支持機構。
【請求項１０】
前記押付部は、前記支持部材を筐体に取り付けた状態において傾斜させられて、回転体を押す請求項１〜９のいずれか１項に記載の回転体支持機構。
【請求項１１】
前記押付部は、前記回転体を保持した状態で、回転体の縁より筐体側に突出させられる請求項１〜１０のいずれか１項に記載の回転体支持機構。
【請求項１２】
前記押付部はリブ状の突起部によって形成される請求項１〜１１のいずれか１項に記載の回転体支持機構。
【請求項１３】
前記回転体はファンである請求項１〜１２のいずれか１項に記載の回転体支持機構。
【請求項１４】
前記支持部材はダクトである請求項１〜１３のいずれか１項に記載の回転体支持機構。
【請求項１５】
前記請求項１〜１４のいずれか１項に記載の回転体支持機構を備える画像形成装置。
【発明の詳細な説明】
【技術分野】
【０００１】
本発明は、回転体支持機構及び画像形成装置に関するものである。
【背景技術】
【０００２】
従来、プリンタ、複写機、ファクシミリ、複合機等の画像形成装置、例えば、プリンタにおいては、帯電ローラによって一様に帯電させられた感光体ドラムの表面を、ＬＥＤヘッドによって露光して静電潜像を形成し、現像器によって前記静電潜像を現像して感光体ドラムの表面にトナー像を形成するようになっている。そして、転写ローラによって前記トナー像を用紙に転写し、定着器においてトナー像を用紙に定着させ、画像を形成する。
【０００３】
前記定着器は、定着ローラ及び加圧ローラを備え、定着ローラ内に加熱体が配設される。そして、用紙上のトナー像を定着ローラによって加熱し、加圧ローラによって加圧することにより用紙に定着させる。
【０００４】
ところで、前記定着ローラには加熱体が配設されるので、該加熱体によって熱が発生させられるのに伴い、プリンタの本体、すなわち、装置本体内の温度が高くなりやすい。
【０００５】
そこで、装置本体内に換気用の回転体としてのファンを配設し、該ファンによって装置本体内の空気を装置本体外に排出し、装置本体内の温度が高くならないようにしている（例えば、特許文献１参照。）。
【先行技術文献】
【特許文献】
【０００６】
【特許文献１】特開２０００−１７２０３１号公報
【発明の概要】
【発明が解決しようとする課題】
【０００７】
しかしながら、前記従来のプリンタにおいては、前記ファンがねじによって固定部材に固定され、該固定部材がねじによって装置本体の筐体に固定されるので、ファンを筐体に対して着脱する作業が煩わしい。
【０００８】
本発明は、前記従来のプリンタの問題点を解決して、回転体を装置本体の筐体に対して着脱する作業を簡素化することができる回転体支持機構及び画像形成装置を提供することを目的とする。
【課題を解決するための手段】
【０００９】
そのために、本発明の回転体支持機構においては、回転体と、装置本体の筐体と、前記回転体を保持するとともに、前記筐体に取り付けられる支持部材とを有する。
【００１０】
そして、該支持部材は、支持部材を筐体に取り付けるための取付部を備える。
【００１１】
また、前記支持部材を筐体に取り付けた状態において、前記支持部材によって保持された状態の回転体が、押付部によって、支持部材における、前記取付部と対向する壁部、及び前記筐体と対向する壁部に押し付けられ、二つの方向において位置決めされる。
【発明の効果】
【００１２】
本発明によれば、回転体支持機構においては、回転体と、装置本体の筐体と、前記回転体を保持するとともに、前記筐体に取り付けられる支持部材とを有する。
【００１３】
そして、該支持部材は、支持部材を筐体に取り付けるための取付部を備える。
【００１４】
また、前記支持部材を筐体に取り付けた状態において、前記支持部材によって保持された状態の回転体が、押付部によって、支持部材における、前記取付部と対向する壁部、及び前記筐体と対向する壁部に押し付けられ、二つの方向において位置決めされる。
【００１５】
この場合、回転体を保持した状態の支持部材を筐体に取り付けるのに伴い、回転体が、押付部によって支持部材に押し付けられるので、回転体の支持部材への取付け及び支持部材の筐体への取付けを容易に行うことができる。したがって、回転体を交換する場合に、回転体を筐体に対して着脱する作業を簡素化することができる。
【図面の簡単な説明】
【００１６】
【図１】本発明の第１の実施の形態におけるファンユニットの断面図である。
【図２】本発明の第１の実施の形態におけるプリンタの概念図である。
【図３】本発明の第１の実施の形態におけるファンユニットの分解斜視図である。
【図４】本発明の第１の実施の形態におけるファンホルダの斜視図である。
【図５】本発明の第１の実施の形態におけるファンホルダの要部を示す斜視図である。
【図６】本発明の第１の実施の形態におけるホルダユニットの断面図である。
【図７】本発明の第２の実施の形態におけるホルダユニットの要部を示す断面図である。
【図８】本発明の第３の実施の形態におけるファンホルダの要部を示す斜視図である。
【図９】本発明の第３の実施の形態におけるホルダユニットの断面図である。
【図１０】本発明の第３の実施の形態におけるファンユニットの断面図である。
【図１１】本発明の第３の実施の形態におけるファンの着脱方法を説明するための図である。
【図１２】本発明の第４の実施の形態におけるホルダユニットの要部を示す断面図である。
【図１３】本発明の第４の実施の形態におけるファンユニットの要部を示す断面図である。
【図１４】本発明の第５の実施の形態におけるフレームの要部を示す斜視図である。
【図１５】本発明の第５の実施の形態におけるホルダユニットの断面図である。
【図１６】本発明の第５の実施の形態におけるファンユニットの要部を示す断面図である。
【発明を実施するための形態】
【００１７】
以下、本発明の実施の形態について図面を参照しながら詳細に説明する。この場合、画像形成装置としてのプリンタについて説明する。
【００１８】
図２は本発明の第１の実施の形態におけるプリンタの概念図である。
【００１９】
図において、１０はプリンタの本体、すなわち、装置本体、１１は、給紙用の駆動部としての図示されないモータによって回転させられ、媒体としての図示されない用紙を給紙する媒体供給部材としての給紙ローラ、１２は用紙を積載するための媒体積載部としての用紙カセット、２３は用紙を搬送するための搬送路、１３Ｂｋ、１３Ｙ、１３Ｍ、１３Ｃは、ブラック、イエロー、マゼンタ及びシアンの画像形成ユニット（画像形成部）、２５は装置本体１０の筐体である。
【００２０】
前記画像形成ユニット１３Ｂｋ、１３Ｙ、１３Ｍ、１３Ｃは、画像形成ユニット１３Ｂｋ、１３Ｙ、１３Ｍ、１３Ｃの本体、すなわち、画像形成ユニット本体１４Ｂｋ、１４Ｙ、１４Ｍ、１４Ｃ、及び該画像形成ユニット本体１４Ｂｋ、１４Ｙ、１４Ｍ、１４Ｃに対して着脱自在に配設された現像剤収容部としてのトナーカートリッジ９１Ｂｋ、９１Ｙ、９１Ｍ、９１Ｃを備える。
【００２１】
そして、前記画像形成ユニット本体１４Ｂｋ、１４Ｙ、１４Ｍ、１４Ｃは、それぞれ、像担持体としての感光体ドラム２０、該感光体ドラム２０の表面を一様に帯電させる帯電装置としての図示されない帯電ローラ、感光体ドラム２０の表面に形成された潜像としての静電潜像に現像剤としてのトナーを付着させて現像剤像としてのトナー像を形成する現像剤担持体としての図示されない現像ローラ、該現像ローラにトナーを供給する現像剤供給部材としての図示されないトナー供給ローラ等を備える。なお、前記現像ローラ、トナー供給ローラ等によって現像装置としての現像器が構成される。
【００２２】
また、前記感光体ドラム２０の表面を露光して静電潜像を形成するために、露光装置としてのＬＥＤヘッド２１Ｂｋ、２１Ｙ、２１Ｍ、２１Ｃが、感光体ドラム２０と対向させて配設される。
【００２３】
前記画像形成ユニット１３Ｂｋ、１３Ｙ、１３Ｍ、１３Ｃにおいて、各感光体ドラム２０の表面が、帯電ローラによって一様に帯電させられ、ＬＥＤヘッド２１Ｂｋ、２１Ｙ、２１Ｍ、２１Ｃによって露光され、各感光体ドラム２０上に静電潜像が形成される。続いて、前記各現像ローラは、静電潜像を現像して各色のトナー像を形成する。
【００２４】
また、前記画像形成ユニット１３Ｂｋ、１３Ｙ、１３Ｍ、１３Ｃの下方には転写ユニットｕ１が配設される。該転写ユニットｕ１は、第１のローラとしての駆動ローラｒ１、第２のローラとしての従動ローラｒ２、前記駆動ローラｒ１及び従動ローラｒ２によって張設された搬送部材としての搬送ベルト２４、及び該搬送ベルト２４を介して前記各感光体ドラム２０と対向させて配設された転写部材としての転写ローラ２２Ｂｋ、２２Ｙ、２２Ｍ、２２Ｃを備え、図示されない搬送用の駆動部によって駆動ローラｒ１を回転させることにより搬送ベルト２４を走行させることができる。
【００２５】
なお、用紙の搬送方向における画像形成ユニット１３Ｂｋ、１３Ｙ、１３Ｍ、１３Ｃより上流側には、画像形成ユニット１３Ｂｋと隣接させて、印刷タイミング調整部としてのレジストローラ対３０が配設され、該レジストローラ対３０に用紙が送られたことが給紙検出部３１によって検出される。前記レジストローラ対３０は、画像形成ユニット１３Ｂｋ、１３Ｙ、１３Ｍ、１３Ｃにおける画像を形成するタイミングと同期させて用紙を下流側に向けて搬送する。
【００２６】
また、用紙の搬送方向における画像形成ユニット１３Ｂｋ、１３Ｙ、１３Ｍ、１３Ｃより下流側には、定着装置としての定着器１５が配設される。該定着器１５は、第１のローラとしての加熱ローラ１５ａ、及び第２のローラとしての加圧ローラ１５ｂを備え、加熱ローラ１５ａ内に加熱体としての図示されないヒータが配設される。なお、定着器１５を用紙が通過したことを検出するために、搬送検出部３２が配設される。
【００２７】
そして、用紙の搬送方向における定着器１５より下流側に、排出ローラ対１６、１８が配設され、排出ローラ対１８に隣接させて排出部としての排出口１７が形成される。また、該排出口１７を通過した用紙を積載するために、上面カバー２５ｂにスタッカ２５ａが形成される。
【００２８】
ところで、装置本体１０内に前記定着器１５が配設されるので、定着器１５において発生した熱によって装置本体１０内の温度が高くなりやすく、装置本体１０内の温度が高くなると、画像形成ユニット１３Ｂｋ、１３Ｙ、１３Ｍ、１３Ｃが熱の影響を受け、画像品位が低下してしまう。そこで、本実施の形態においては、排気装置としてのファンユニット４０を排出口１７の近傍の筐体２５に配設し、前記ファンユニット４０によって装置本体１０内の空気を装置本体１０外に排出し、装置本体１０内の温度が高くならないようにしている。
【００２９】
次に、前記構成のプリンタの動作について説明する。
【００３０】
まず、前記用紙カセット１２に載置された用紙は、給紙ローラ１１によって給紙され、画像形成ユニット１３Ｂｋ、１３Ｙ、１３Ｍ、１３Ｃに送られる。そして、レジストローラ対３０に用紙が送られたことが給紙検出部３１によって検出されると、前記レジストローラ対３０は、画像形成ユニット１３Ｂｋ、１３Ｙ、１３Ｍ、１３Ｃにおける画像を形成するタイミングと同期させて用紙を下流側に向けて搬送する。
【００３１】
そして、画像形成ユニット１３Ｂｋ、１３Ｙ、１３Ｍ、１３Ｃに送られた用紙は、各感光体ドラム２０と転写ローラ２２Ｂｋ、２２Ｙ、２２Ｍ、２２Ｃとの間を通過し、その間に、該転写ローラ２２Ｂｋ、２２Ｙ、２２Ｍ、２２Ｃによって、各色のトナー像が順次用紙に重ねて転写され、カラーのトナー像が形成される。
【００３２】
カラーのトナー像が形成された用紙は、定着器１５に送られ、該定着器１５において、カラーのトナー像が、加熱ローラ１５ａによって加熱され、加圧ローラ１５ｂによって加圧されることにより、用紙に定着させられ、カラーの画像が形成される。
【００３３】
そして、定着器１５から排出された用紙は、搬送検出部３２によって検出され、排出ローラ対１６、１８によって搬送された後、排出口１７から排出され、スタッカ２５ａに積載される。
【００３４】
次に、前記ファンユニット４０について説明する。
【００３５】
図３は本発明の第１の実施の形態におけるファンユニットの分解斜視図、図４は本発明の第１の実施の形態におけるファンホルダの斜視図、図５は本発明の第１の実施の形態におけるファンホルダの要部を示す斜視図、図６は本発明の第１の実施の形態におけるホルダユニットの断面図である。
【００３６】
図に示されるように、ファンユニット４０は、支持部材としてのファンホルダ４１、装置本体１０の筐体２５の一部から成る被取付部としてのフレーム４２、及び前記ファンホルダ４１によって支持される換気用の回転体としてのファン４３を備え、回転体支持機構を構成する。なお、前記ファンホルダ４１及びファン４３によってホルダユニットが構成される。
【００３７】
前記ファンホルダ４１は、弾性を有するプラスチックによって形成された筒状、本実施の形態においては、四角筒状の形状を有し、フレーム４２側（前方）の端部、すなわち、前端が開放され、フレーム４２と反対側（後方）の端部、すなわち、後端のコーナ部が内方に向けて突出させて形成され、ファン４３を取り付けるときに、該ファン４３を軸方向において位置決めするための位置決め部としての壁部４１ｃを備える。
【００３８】
また、前記ファンホルダ４１は、第１の壁部としての頂壁ｗ１、第２の壁部としての底壁ｗ２、及び第３、第４の壁部としての側壁ｗ３、ｗ４を備え、前記頂壁ｗ１の複数箇所、本実施の形態においては、２箇所に、頂壁ｗ１の一部を切り起こすことによって、細長片から成る取付部としての、かつ、撓み部材としての爪部４１ａが、前記底壁ｗ２の複数箇所、本実施の形態においては、２箇所に、前端からわずかに突出させて、かつ、垂下させて、凸片から成る第１の係合部としての位置決め片４１ｂが形成される。そして、前記底壁ｗ２の内周面の複数箇所、本実施の形態においては、２箇所に、後端から前端に向けて延在させて突当て用の突起部としてのリブ４１ｆが形成される。また、前記側壁ｗ３、ｗ４の内周面の複数箇所、本実施の形態においては、２箇所に、後端から前端に向けて延在させて位置決め用のリブ４１ｕが形成される（図４においては側壁ｗ３側のリブ４１ｕだけが示される。）。
【００３９】
前記爪部４１ａは、後端においてファンホルダ４１の本体、すなわち、ホルダ本体４１Ｂｄと一体に形成され、前方に向けて延び、後端を支持端として、前端を自由端として揺動自在に支持された弾性片を構成する。そして、前記爪部４１ａの先端（前端）には、ファンホルダ４１の前端より前方に突出させて突出部が形成され、該突出部に、第２の係合部としての鉤形状（三角形）の先端爪４１ｒが上方に向けて突出させて形成される。
【００４０】
また、前記ホルダ本体４１Ｂｄにおける爪部４１ａの直下部には、爪部４１ａの幅よりわずかに幅が広くされたスリット４１ｅが、爪部４１ａの後端からファンホルダ４１の前端にかけて形成される。
【００４１】
前記爪部４１ａは、外力が加えられない状態で、ホルダ本体４１Ｂｄよりわずかに上方において延在させられるが、外力を加えて押し下げ、変形（湾曲）させると、前記爪部４１ａの前半部をスリット４１ｅ内に進入させ、先端爪４１ｒをホルダ本体４１Ｂｄの上面より下方に置くことができる。
【００４２】
前記爪部４１ａの下面（背面）には、後端から中央部にかけて押付部としてのリブ状の突起部４１ｄが、ファン４３と当接自在に、下方に向けて突出させて、かつ、スリット４１ｅ内に一部を進入させて形成される。
【００４３】
また、前記フレーム４２は、所定の形状、本実施の形態においては、矩形の形状を有し、中央部に、装置本体１０内の空気を装置本体１０外に排出するための開口部４２ｃが形成される。前記ファンホルダ４１は、ファン４３を保持した状態でフレーム４２に取り付けられる。
【００４４】
そのために、前記フレーム４２には、前記ファンホルダ４１の爪部４１ａと対応する位置に、第１の穴部としての、かつ、第１の被係止部としての取付け穴４２ａが、前記ファンホルダ４１の位置決め片４１ｂと対応する位置に、第２の穴部としての、かつ、第２の被係止部としての取付け穴４２ｂが貫通させて形成される。
【００４５】
そして、前記取付け穴４２ａの内周壁の上端と前記取付け穴４２ｂの内周壁の下端との間の距離をｄ１とし、ファンホルダ４１をフレーム４２に取り付けない状態、すなわち、ファンホルダ４１の非取付状態において、爪部４１ａの最上端、すなわち、先端爪４１ｒの上端と底壁ｗ２の下面との間の距離をＤ１としたとき、距離ｄ１、Ｄ１は、
Ｄ１＞ｄ１
になるように設定される。
【００４６】
また、前記ファンホルダ４１の非取付状態において、突起部４１ｄの下端とリブ４１ｆの上端との間の距離をＬ１とし、ファン４３の上端と下端（リブ４１ｆの上端）との間の距離をＦ１としたとき、距離Ｌ１、Ｆ１は、
Ｌ１＞Ｆ１
になるように設定される。なお、ファンホルダ４１の非取付状態において、突起部４１ｄとファン４３とは離間させられ、接触しない。
【００４７】
次に、ファンホルダ４１をフレーム４２に取り付けた状態、すなわち、ファンホルダ４１の取付状態について説明する。
【００４８】
図１は本発明の第１の実施の形態におけるファンユニットの断面図である。
【００４９】
ファンホルダ４１をフレーム４２に取り付ける場合、まず、ファンホルダ４１内にファン４３を進入させ、該ファン４３を壁部４１ｃに押し付けることによってファン４３をファンホルダ４１に取り付け、かつ、軸方向においてファンホルダ４１に対して位置決めする。
【００５０】
そして、前記ファンホルダ４１の位置決め片４１ｂをフレーム４２の取付け穴４２ｂに挿し込んで位置決め片４１ｂとフレーム４２とを係合させ、続いて、爪部４１ａを変形させて取付け穴４２ａに挿し込み、先端爪４１ｒとフレーム４２とを係合させる。このとき、距離ｄ１は距離Ｄ１より短いので、爪部４１ａは変形した状態を保つ。
【００５１】
なお、爪部４１ａの変形に伴って、突起部４１ｄが下方に移動して傾斜させられるので、リブ４１ｆの上端と、突起部４１ｄの最下端との間の距離をＬ１’したとき、距離Ｌ１’、Ｆ１は、
Ｌ１’＜Ｆ１
の関係になる。
【００５２】
これにより、突起部４１ｄがファン４３を底壁ｗ２に押し付け、リブ４１ｆが反力によってファン４３を爪部４１ａに押し付け、ファン４３を上下方向においてファンホルダ４１に対して位置決めする。このようにして、ファン４３は、突起部４１ｄ及びリブ４１ｆによって挟持され、ファンホルダ４１によって保持される。このとき、前記突起部４１ｄが前記ファン４３の上面に対して所定の角度で傾斜させられるので、突起部４１ｄがファン４３の上端を所定の押付力で押し付けるのに伴って、ファン４３は押付力の水平方向の分力によって壁部４１ｃに向けて押される。したがって、ファン４３はファンホルダ４１によって安定して保持される。その結果、ファン４３のファンホルダ４１に対するガタ付きをなくすことができる。また、爪部４１ａが変形することによって、突起部４１ｄによる押付力の水平方向の分力を発生させることができるので、ファンホルダ４１の所定の箇所にテーパ形状を形成する必要がなくなり、ファンホルダ４１の金型構造を簡素化することができる。
【００５３】
なお、本実施の形態においては、ファン４３を上下方向においてファンホルダ４１に対して位置決めした状態より、爪部４１ａを更に変形させることができるように、突起部４１ｄ及びリブ４１ｆの寸法が設定される。
【００５４】
このように、本実施の形態においては、ファン４３をファンホルダ４１に取り付け、爪部４１ａを変形させることによってファンホルダ４１をフレーム４２に取り付けるだけで、ファン４３のファンホルダ４１への取付け及びファンホルダ４１のフレーム４２への取付けを容易に行うことができる。したがって、ファン４３を交換する場合に、ファン４３を装置本体１０の筐体２５に対して着脱する作業を簡素化することができる。
【００５５】
また、ファン４３をファンホルダ４１に取り付けるためのねじ等の固定要素、及びファンホルダ４１をフレーム４２に取り付けるためのねじ等の固定要素を使用する必要がないので、ファンユニット４０の構造を簡素化することができるとともに、ファンユニット４０のコストを低くすることができる。
【００５６】
本実施の形態においては、爪部４１ａを変形させたときに突起部４１ｄがファン４３の上端を押し付けるようになっているが、爪部４１ａに代えて、変形自在な当接部を形成し、当接部及びリブ４１ｆによってファン４３を保持するようにすることができる。
【００５７】
また、本実施の形態においては、支持部材としてファンホルダ４１が使用されるようになっているが、支持部材として、ファンホルダ４１に代えて、ファン４３によって発生させられた気流を制限するダクトを使用することができる。
【００５８】
次に、本発明の第２の実施の形態について説明する。なお、第１の実施の形態と同じ構造を有するものについては、同じ符号を付与し、同じ構造を有することによる発明の効果については同実施の形態の効果を援用する。
【００５９】
図７は本発明の第２の実施の形態におけるホルダユニットの要部を示す断面図である。
【００６０】
この場合、押付部としての突起部４１ｄの下面に、弾性部材としてのフォーム材４１ｇが被覆される。したがって、前記突起部４１ｄ及び突当て用の突起部としてのリブ４１ｆ（図１）によって換気用の回転体としてのファン４３を挟持する際に、フォーム材４１ｇがわずかに変形し、付勢力を発生させるので、前記ファン４３の支持部材としてのファンホルダ４１に対するガタ付きを一層なくすことができる。
【００６１】
次に、本発明の第３の実施の形態について説明する。なお、第１、第２の実施の形態と同じ構造を有するものについては、同じ符号を付与し、同じ構造を有することによる発明の効果については同実施の形態の効果を援用する。
【００６２】
図８は本発明の第３の実施の形態におけるファンホルダの要部を示す斜視図、図９は本発明の第３の実施の形態におけるホルダユニットの断面図である。
【００６３】
この場合、支持部材としてのファンホルダ４１に形成された取付部としての、かつ、撓み部材としての爪部４１ａに押付部としての突起部４１ｄが形成され、該突起部４１ｄの前端に、第１の係止部としてのストッパ４１ｈが下方に向けて突出させて形成され、突当て用の突起部としてのリブ４１ｆにおけるストッパ４１ｈと対向する位置に、第２の係止部としてのストッパ４１ｉが上方に向けて突出させて形成される。
【００６４】
前記ファンホルダ４１の非取付状態において、前記ストッパ４１ｈの下端と前記ストッパ４１ｉの上端との間の距離をＳ１とし、換気用の回転体としてのファン４３の上端と下端との間の距離をＦ１としたとき、距離Ｓ１、Ｆ１は、
Ｓ１＜Ｆ１
になるように設定され、距離Ｓ１、Ｆ１の距離差（Ｆ１−Ｓ１）は、ほぼ１〔ｍｍ〕にされる。
【００６５】
なお、ファンホルダ４１内にファン４３を進入させ、該ファン４３を位置決め部としての壁部４１ｃ（図１）に押し付けた状態で、ファン４３の前端面Ｓｆとストッパ４１ｈ、４１ｉの後端とが接触しないように、ストッパ４１ｈ、４１ｉの位置が設定される。
【００６６】
また、前記ファンホルダ４１の非取付状態において、突起部４１ｄの下端とリブ４１ｆの上端との間の距離をＬ１とし、ファン４３の上端と下端との間の距離をＦ１としたとき、距離Ｌ１、Ｆ１は、第１の実施の形態と同様に、
Ｌ１＞Ｆ１
になるように設定される。
【００６７】
次に、ファンホルダ４１の取付状態について説明する。
【００６８】
図１０は本発明の第３の実施の形態におけるファンユニットの断面図、図１１は本発明の第３の実施の形態におけるファンの着脱方法を説明するための図である。
【００６９】
本実施の形態においては、ファンホルダ４１を取付部としてのフレーム４２に取り付ける場合、まず、ファンホルダ４１内にファン４３を進入させ、該ファン４３を壁部４１ｃに押し付けることによってファン４３をファンホルダ４１に取り付け、かつ、軸方向においてファンホルダ４１に対して位置決めする。
【００７０】
そして、前記ファンホルダ４１の第１の係合部としての位置決め片４１ｂを、第２の穴部としての、かつ、第２の被係止部としてのフレーム４２の取付け穴４２ｂに挿し込んで、位置決め片４１ｂとフレーム４２とを係合させ、続いて、爪部４１ａを変形させて第１の穴部としての、かつ、第１の被係止部としての取付け穴４２ａに挿し込み、第２の係合部としての先端爪４１ｒとフレーム４２とを係合させる。このとき、距離ｄ１は距離Ｄ１より短いので、爪部４１ａは変形した状態を保つ。
【００７１】
また、爪部４１ａの変形に伴って、突起部４１ｄが下方に移動して傾斜させられるので、第１の実施の形態と同様に、突起部４１ｄがファン４３を底壁ｗ２に押し付け、リブ４１ｆが反力によってファン４３を爪部４１ａに押し付けることにより、ファン４３が上下方向においてファンホルダ４１に対して位置決めされる。このようにして、ファン４３は、突起部４１ｄ及びリブ４１ｆによって挟持され、ファンホルダ４１によって保持される。このとき、前記突起部４１ｄが前記ファン４３の上面に対して所定の角度で傾斜させられるので、突起部４１ｄがファン４３の上端を所定の押付力で押し付けるのに伴って、ファン４３は押付力の水平方向の分力によって壁部４１ｃに向けて押される。したがって、ストッパ４１ｈ、４１ｉの後端とファン４３の前端面Ｓｆとは、離間させられ、接触しない。
【００７２】
なお、ファン４３をファンホルダ４１に取り付ける場合、及びファン４３をファンホルダ４１から取り外す場合、図１１に示されるように、爪部４１ａは、上方、すなわち、ファン４３と反対方向（ファン４３から離れる方向）に撓ませられ、変形させられる。この状態で、前記ストッパ４１ｈの下端とストッパ４１ｉの上端との間の距離をＳ１’としたとき、距離Ｓ１’、Ｆ１は、
Ｓ１’＞Ｆ１
の関係になる。したがって、ファン４３をファンホルダ４１に容易に取り付けたり、ファン４３をファンホルダ４１から容易に取り外したりすることができる。
【００７３】
このように、本実施の形態においては、突起部４１ｄにストッパ４１ｈが、リブ４１ｆにストッパ４１ｉが形成され、前記ストッパ４１ｈの下端とストッパ４１ｉの上端との間の距離Ｓ１’が、ファン４３の上端と下端との間の距離Ｆ１より短くされるので、ファンホルダ４１をフレーム４２に取り付ける際に、ファン４３がファンホルダ４１から脱落するのを防止することができる。
【００７４】
次に、本発明の第４の実施の形態について説明する。なお、第１〜第３の実施の形態と同じ構造を有するものについては、同じ符号を付与し、同じ構造を有することによる発明の効果については同実施の形態の効果を援用する。
【００７５】
図１２は本発明の第４の実施の形態におけるホルダユニットの要部を示す断面図、図１３は本発明の第４の実施の形態におけるファンユニットの要部を示す断面図である。
【００７６】
この場合、第１の係止部としてのストッパ４１ｈは、換気用の回転体としてのファン４３と対向させて形成された垂下面Ｓｃを備え、押付部としての突起部４１ｄは、該突起部４１ｄの本体４１ｄａの下面Ｓｄから前記垂下面Ｓｃにかけて斜め下方に向けて傾斜させて形成された傾斜面Ｓｓを備える。
【００７７】
したがって、取付部としての、かつ、撓み部材としての爪部４１ａの変形に伴って、ファン４３は、前記突起部４１ｄ及び突当て用の突起部としてのリブ４１ｆ（図１）によって挟持され、支持部材としてのファンホルダ４１によって保持される。この場合、傾斜面Ｓｓはファン４３の上面に対して、第１の実施の形態より大きい角度で傾斜させられるので、突起部４１ｄが傾斜面Ｓｓによって、前記ファン４３の上端を所定の押付力で押し付ける際の水平方向の分力を大きくすることができる。したがって、ファン４３は、位置決め部としての壁部４１ｃに向けて十分な力で押されるので、ファンホルダ４１によって一層安定して保持される。
【００７８】
次に、本発明の第５の実施の形態について説明する。なお、第１〜第４の実施の形態と同じ構造を有するものについては、同じ符号を付与し、同じ構造を有することによる発明の効果については同実施の形態の効果を援用する。
【００７９】
図１４は本発明の第５の実施の形態におけるフレームの要部を示す斜視図、図１５は本発明の第５の実施の形態におけるホルダユニットの断面図である。
【００８０】
図において、５２は装置本体１０（図２）の筐体２５の一部から成る被取付部としてのフレームであり、該フレーム５２の裏面Ｓ１１（筐体２５の内側）における、第１の穴部としての、かつ、第１の被係止部としての取付け穴４２ａより下方（取付け穴４２ａの近傍）の複数箇所、本実施の形態においては、２箇所に、フレーム５２の一部を切り起こすことによって、押付部としての、かつ、撓み部材としての細長片から成る平板状の凸部５２ｃが、支持部材としてのファンホルダ４１側に向けて突出させて形成される。
【００８１】
そして、換気用の回転体としてのファン４３の取付状態において、ファンホルダ４１の第１の壁部としての頂壁ｗ１とファン４３との隙間ＣＬの寸法をδとしたとき、前記凸部５２ｃの厚さｈは、
１．２δ≦ｈ≦１．５δ
になるように設定される。
【００８２】
したがって、ファンホルダ４１をフレーム５２に取り付けるのに伴って、凸部５２ｃは前記隙間ＣＬ内に圧入される。なお、前記凸部５２ｃの先端には、凸部５２ｃの隙間ＣＬ内への圧入を容易にするために、誘込み部としての図示されない面取部が形成される。
【００８３】
図１６は本発明の第５の実施の形態におけるファンユニットの要部を示す断面図である。
【００８４】
本実施の形態において、ファンホルダ４１をフレーム５２に取り付ける場合、まず、ファンホルダ４１内にファン４３を進入させ、該ファン４３を位置決め部としての壁部４１ｃに押し付けることによってファン４３をファンホルダ４１に取り付け、かつ、軸方向においてファンホルダ４１に対して位置決めする。
【００８５】
そして、ファンホルダ４１の第１の係合部としての位置決め片４１ｂを、第２の穴部としての、かつ、第２の被係止部としてのフレーム４２の取付け穴４２ｂに挿し込んで、位置決め片４１ｂとフレーム５２とを係合させ、続いて、取付部としての、かつ、撓み部材としての爪部４１ａを変形させて第１の穴部としての、かつ、第１の被係止部としての取付け穴４２ａに挿し込み、第２の係合部としての先端爪４１ｒとフレーム５２とを係合させる。このとき、距離ｄ１は距離Ｄ１より短いので、爪部４１ａは変形した状態を保つ。
【００８６】
また、ファンホルダ４１をフレーム５２に取り付ける場合、凸部５２ｃが前記隙間ＣＬ内に圧入され、それに伴って、ファン４３を第２の壁部としての底壁ｗ２（図４）に押し付け、突当て用の突起部としてのリブ４１ｆが反力によって、ファン４３を頂壁ｗ１に押し付ける。なお、前記ファンホルダ４１は、弾性を有するプラスチックで形成されているので、前記凸部５２ｃが前記隙間ＣＬ内に圧入されるのに伴って頂壁ｗ１は変形させられる。
【００８７】
このように、本実施の形態においては、ファンホルダ４１をフレーム５２に取り付けるのに伴って、凸部５２ｃが前記隙間ＣＬ内に圧入され、ファン４３が底壁ｗ２、頂壁ｗ１及び壁部４１ｃに押し付けられるので、ファン４３のファンホルダ４１に対するガタ付きをなくすことができる。
【００８８】
また、爪部４１ａを変形させることなく、ファン４３とファンホルダ４１との間、及びファンホルダ４１とフレーム５２との間のガタ付きをなくすことができるので、爪部４１ａの寸法のばらつきによって爪部４１ａが過剰に変形させられたり、爪部４１ａが劣化したりすることがない。
【００８９】
本実施の形態において、前記凸部５２ｃの厚さｈは一定にされるが、先端からフレーム５２側に向けて徐々に厚さｈを大きくし、楔形状にすることができる。
【００９０】
また、本実施の形態において、前記凸部５２ｃはフレーム５２の本体と一体に形成されるようになっているが、凸部５２ｃとフレーム５２の本体とを別体に形成することができる。
【００９１】
前記各実施の形態においては、プリンタについて説明されているが、本発明を、複写機、ファクシミリ、複合機等に適用することができる。
【００９２】
なお、本発明は前記各実施の形態に限定されるものではなく、本発明の趣旨に基づいて種々変形させることが可能であり、それらを本発明の範囲から排除するものではない。
【符号の説明】
【００９３】
２５    筐体
４０    ファンユニット
４１    ファンホルダ
４１ａ    爪部
４１ｄ    押付部
４３    ファン
５２ｃ    凸部
【図１】
0005608105.tif 000002
【図２】
0005608105.tif 000003
【図３】
0005608105.tif 000004
【図４】
0005608105.tif 000005
【図５】
0005608105.tif 000006
【図６】
0005608105.tif 000007
【図７】
0005608105.tif 000008
【図８】
0005608105.tif 000009
【図９】
0005608105.tif 000010
【図１０】
0005608105.tif 000011
【図１１】
0005608105.tif 000012
【図１２】
0005608105.tif 000013
【図１３】
0005608105.tif 000014
【図１４】
0005608105.tif 000015
【図１５】
0005608105.tif 000016
【図１６】
0005608105.tif 000017